(57)【要約】【課題】蓋部のロックならびに解除操作、及び箸入れ部の操作等の操作の簡略化やコストダウンが可能となる合理化されたランチジャーを得る。【解決手段】ジャー本体１と、蓋カバー２とで成る収容体に、味噌汁をいれる汁器５と、ご飯を入れる飯器６と、おかずを入れる菜器７とを収容自在に構成し、ジャー本体１の上面側を蓋部２で覆う閉じ状態を維持するロック装置３を有したランチジャーにおいて、箸又は箸箱を収容自在な箸入れ部４を、ジャー本体１と蓋カバー２とに跨る状態で収容体ａの側壁に配備するに、箸入れ部４を収容体ａの側壁に沿う状態に支持する収納姿勢と、収容体ａの側壁から離れた解放姿勢とに揺動切換自在に構成し、箸入れ部４を収納姿勢に維持する維持手段ｉによってロック装置３を構成する。【選択図】　　　　　図１
2004016462.tif 000002
【特許請求の範囲】
【請求項１】
容器部と、その上面側を覆う蓋部とで成る収容体に、ご飯を収容自在な飯器と、おかずを収容自在な菜器とを収容自在に構成するとともに、前記容器部の上面側を前記蓋部で覆う閉じ状態を維持するロック装置を有したランチジャーであって、
箸又は箸箱を収容自在な箸入れ部を、前記容器部と前記蓋部とに跨る状態で前記収容体の側壁に配備するとともに、前記箸入れ部を前記ロック装置の構成部材に設定してあるランチジャー。
【請求項２】
容器部と、その上面側を覆う蓋部とで成る収容体に、ご飯を収容自在な飯器と、おかずを収容自在な菜器とを収容自在に構成するとともに、前記容器部の上面側を前記蓋部で覆う閉じ状態を維持するロック装置を有したランチジャーであって、
箸又は箸箱を収容自在な箸入れ部を、前記容器部と前記蓋部とに跨る状態で前記収容体の側壁に配備するに、前記箸入れ部に箸又は箸箱が収容された状態を維持すべく前記箸入れ部を前記収容体の側壁に沿う状態に支持する収納姿勢と、前記箸入れ部に対する箸又は箸箱の出入れを許容すべく前記収容体の側壁から離れた解放姿勢とに切換自在に構成するとともに、前記箸入れ部を前記収納姿勢に維持する維持手段によって前記ロック装置が構成されているランチジャー。
【請求項３】
前記箸入れ部を、前記容器部の下端側に設けた支点周りで揺動自在に支持された縦に長い箱状体に形成し、前記収容体の側面に沿う状態に起立して前記蓋部を閉じロックする収納姿勢と、前記収容体から遠ざかる方向に揺動移動して、前記蓋部の前記容器部からの離脱を許容し、かつ、前記箸入れ部に収容された箸又は箸箱の取出しが可能となる解放姿勢とに揺動切換自在に構成してある請求項２に記載のランチジャー。
【請求項４】
前記箸入れ部が着脱自在に前記容器部に配備され、前記容器部に装着されると前記収納姿勢になり、前記容器部から離脱されると前記解放姿勢となるように構成されている請求項２に記載のランチジャー。
【請求項５】
前記箸入れ部が前記解放姿勢に切換られるに伴って、前記箸入れ部に収容されている箸又は箸箱を前記箸入れ部から離れる方向に移動させる連動手段を設けてある請求項２〜４のいずれか一項に記載のランチジャー。
【請求項６】
前記収納姿勢にある前記箸入れ部に対して保護作用可能なガード部材を前記容器部に設けてある請求項２〜５のいずれか一項に記載のランチジャー。
【発明の詳細な説明】
【０００１】
【発明の属する技術分野】
本発明は、箸を携帯するタイプのランチジャーに係り、詳しくは、箸又は箸箱を収容自在な箸入れ部、及び蓋部の取付構造に関するものである。
【０００２】
【従来の技術】
ランチジャーには、箸箱を持たない（箸箱は別に用意する）構造のものと、箸箱を一体的に備える構造のものとがある。箸箱を一体的に備えた後者のランチジャーの一例としては、特開平９−３３２号公報に示されたものが知られている。これは、ジャー本体である容器部の外側壁に取付けた上下の保持部材を用いて、上下向き姿勢の箸箱を外側壁にぴったり沿う状態に装備できるようにしたものであり、上方に移動すれば上下の保持部材から箸箱を抜き出すことができるように構成されている。容器部の上面側を覆う蓋部は、専用に装備された一対のロック機構によって閉じロック及び解放自在に構成されるのが一般的である。
【０００３】
【発明が解決しようとする課題】
前記従来技術によるランチジャーでは、箸箱を上下の保持部材に差し込んで携帯させる構造であるから、ある程度の衝撃が作用すれば箸箱が抜け出てしまうおそれがある。そして、蓋部の容器部への着脱操作の妨げとならないように、上下の保持部材に収容された状態では、箸箱の上端位置を蓋カバーの下端位置にほぼ合わせてあるため、箸箱の長さ、すなわち、箸の長さが制限されてしまうものであった。
【０００４】
また、このランチジャーでは、蓋部のロック解除操作と、箸箱の容器部側面からの抜き出し操作とが必要であり、蓋カバーと箸入れ部とに関する必要な操作数が多くて面倒であり、構成部材も多くコスト面で不利であるとともに、箸箱の殆どが露出するので、ランチジャー全体としてのデザインをまとめ難い面もあり、箸箱付きタイプのランチジャーとしては改善の余地があるように思える。
【０００５】
本発明の目的は、箸箱の支持構造、並びに蓋部のロック構造を見直すことにより、容器部に対する蓋部のロックならびに解除操作、及び箸入れ部の操作等の操作の簡略化やコストダウンが可能となる合理化されたランチジャーを得る点にある。また、箸長さに制限が受け難いようにするとか、見栄えの改善を図ることも目的とする。
【０００６】
【課題を解決するための手段】
〔構成〕
請求項１の構成は、容器部と、その上面側を覆う蓋部とで成る収容体に、ご飯を収容自在な飯器と、おかずを収容自在な菜器とを収容自在に構成するとともに、容器部の上面側を蓋部で覆う閉じ状態を維持するロック装置を有したランチジャーにおいて、
箸を収容自在な箸入れ部を、容器部と蓋部とに跨る状態で収容体の側壁に配備するとともに、箸入れ部をロック装置の構成部材に設定してあることを特徴とする。
【０００７】
〔作用〕
請求項１の構成によれば、箸又は箸箱を収容自在な箸入れ部を容器部と蓋部とに跨る状態で収容体の側壁に配備してあるから、箸箱の長さが容器部の長さ範囲内に設定されていた従来のものに比べて、箸入れ部の長さの長いものを収容できるようになり、箸又は箸箱の長さに規制を受け難くなる。そして、蓋部を、これが容器部の上面側を覆う状態に閉じロックするロック装置の構成部材として箸入れ部が機能する（例えば、箸入れ部が蓋カバーの外れ止め部材を兼ねる等）から、構成部材を兼用することができ、部品点数を削減することが可能になる。また、箸入れ部を、そこに収容される箸又は箸箱を覆い隠す形状として、収容体との形状に一体感を出すとか、色調やデザインを合わせたトータルとしての意匠を設定できるといった具合に、箸又は箸箱とは無関係にランチジャーとしての外観をまとめることが可能になる。
【０００８】
〔効果〕
その結果、請求項１の構成では、箸又は箸箱を収容する箸入れ部を収容体全長に亘る長さに設定して、蓋部のロック装置の構成部材を兼ねるものに構成したので、部品点数を減らしてコストダウンが行えるようにしながら、使用者の好みに応じた箸を設定できるという箸の長さ選択の自由度が広がり、しかも箸入れ部を含めた全体としてのデザインに仕上げることで外観の向上も可能となる箸携帯型のランチジャーを提供することができた。
【０００９】
〔構成〕
請求項２の構成は、容器部と、その上面側を覆う蓋部とで成る収容体に、ご飯を収容自在な飯器と、おかずを収容自在な菜器とを収容自在に構成するとともに、容器部の上面側を蓋部で覆う閉じ状態を維持するロック装置を有したランチジャーにおいて、
箸を収容自在な箸入れ部を、容器部と蓋部とに跨る状態で収容体の側壁に配備するに、箸入れ部に箸又は箸箱が収容された状態を維持すべく箸入れ部を収容体の側壁に沿う状態に支持する収納姿勢と、箸入れ部に対する箸又は箸箱の出入れを許容すべく収容体の側壁から離れた解放姿勢とに切換自在に構成するとともに、箸入れ部を収納姿勢に維持する維持手段によってロック装置が構成されていることを特徴とする。
【００１０】
〔作用〕
請求項２の構成によれば、箸又は箸箱を収容自在な箸入れ部を容器部と蓋部とに跨る状態で収容体の側壁に配備してあるから、箸箱の長さが容器部の長さ範囲内に設定されていた従来のものに比べて、箸入れ部の長さの長いものを収容できるようになり、箸又は箸箱の長さに規制を受け難くなる。
【００１１】
そして、収納姿勢と解放姿勢とに切換自在な箸入れ部を収納姿勢にすれば、収容されている箸又は箸箱の箸入れ部からの抜け出しや脱落が防止されるとともに、収容体の側壁に沿って極力収容体からの張出し量を抑えた状態で携帯できるようになる。箸入れ部を解放姿勢にすれば、収容体の側壁から箸入れ部を離すことができて、箸又は箸箱の出し入れが行い易い状態を得ることができる。つまり、箸入れ部を姿勢切換することで、収容体への携帯時と箸使用時との双方の状況における使い勝手を向上できるようになる。
【００１２】
また、蓋部を閉じロックするロック装置が、箸入れ部を収納姿勢に維持する維持手段によって構成されているから、ランチジャーの持ち運び時や保管時等の箸入れ部の非使用時には、箸入れ部を収納姿勢に維持させることになり、その１種の操作によって蓋部も閉じロックされるので、箸入れ部と蓋部とを各別にロック操作する場合に比べて操作の簡略化が行えるようになるとともに、構成部材を兼用できて部品点数の削減やそれによるコストダウンが可能になる。
【００１３】
〔効果〕
その結果、請求項２の構成では、箸又は箸箱を収容する箸入れ部を収容体全長に亘る長さに設定するとともに、収容体の側壁に沿う収納姿勢と側壁から離れた解放姿勢に切換自在とし、しかも収納姿勢の箸入れ部で蓋部の閉じロックが行われるので、部品点数を減らしてコストダウンが行えるようにしながら、使用者の好みに応じた箸を設定できるという箸の長さ選択の自由度が広がるとともに、非使用時には不測の脱落なく箸又は箸箱を確実に携帯でき、使用時には便利に箸又は箸箱を箸入れ部に装脱でき、合理的で使い勝手にも優れる箸携帯型のランチジャーを提供することができた。
【００１４】
〔構成〕
請求項３の構成は、請求項２の構成において、箸入れ部を、容器部の下端側に設けた支点周りで揺動自在に支持された縦に長い箱状体に形成し、収容体の側面に沿う状態に起立して蓋部を閉じロックする収納姿勢と、収容体から遠ざかる方向に揺動移動して、蓋部の収容部からの離脱を許容し、かつ、箸入れ部に収容された箸又は箸箱の取出しが可能となる解放姿勢とに揺動切換自在に構成してあることを特徴とするものである。
【００１５】
〔作用〕
請求項３の構成によれば、箸入れ部の収納姿勢と解放姿勢との姿勢切換を、下部支点の揺動によって行わせるので、姿勢切換の構造が比較的簡単なもので済むとともに、解放姿勢でも箸入れ部は容器部に枢支連結されているので、箸入れ部を装備し忘れるとか紛失してしまうおそれが無い点で有利である。又、箸入れ部を縦長の箱状体としたので、箸又は箸箱を覆い隠すことが可能であり、収容体との形状に一体感を出すとか、色調やデザインを合わせたトータルとしての意匠を設定できるといった具合に、ランチジャーの外観をより良い状態にまとめることが可能になる。
【００１６】
〔効果〕
その結果、請求項３の構成では、請求項２の構成による作用、効果を奏するとともに、構造簡単に箸入れ部の姿勢切換が行えてコストダウンや部品数削減の点で有利にしながら、箸入れ部の不携帯や紛失のおそれが無く便利で、しかも外観向上も図れる箸携帯型のランチジャーを提供できた。
【００１７】
〔構成〕
請求項４の構成は、請求項２の構成において、箸入れ部が着脱自在に容器部に配備され、容器部に装着されると収納姿勢になり、容器部から離脱されると解放姿勢となるように構成されていることを特徴とするものである。
【００１８】
〔作用〕
請求項４の構成によれば、箸入れ部を容器部に対して着脱自在に配備したので、容器部と箸入れ部とを互いに分離すれば、それぞれの点検や掃除を容易に行うことができる。そして、箸入れ部を容器部に装着すれば収納姿勢になり、容器部から離脱すれば解放姿勢となるから、箸入れ部の着脱操作と収納及び解放姿勢への姿勢設定操作とを一挙に行うことができ、これら２種の操作を各別に行う場合にくらべて操作を簡単で迅速に行うことが可能になる。
【００１９】
〔効果〕
その結果、請求項４の構成では、請求項２の構成による作用、効果を奏するとともに、箸入れ部を着脱自在として、容器部や箸入れ部の点検、掃除といったメンテナンス性が向上するようにしながら、箸又は箸箱の取出しや収納といった箸に関する操作を便利に行える箸携帯型のランチジャーを提供できた。
【００２０】
〔構成〕
請求項５の構成は、請求項２〜４の構成において、箸入れ部が解放姿勢に切換られるに伴って、箸入れ部に収容されている箸又は箸箱を箸入れ部から離れる方向に移動させる連動手段を設けてあることを特徴とするものである。
【００２１】
〔作用〕
請求項５の構成によれば、箸入れ部を解放姿勢に切換えれば、それに伴って箸又は箸箱が箸入れ部から離れる方向に移動するから、解放姿勢では箸又は箸箱と箸入れ部とが互いに離れているから、箸又は箸箱を箸入れ部から取出すに先立って、箸又は箸箱を箸入れ部から引き離す操作を不要にすることができ、箸又は箸箱を箸入れ部から取出す操作を迅速で簡単に行えるようになる。
【００２２】
〔効果〕
その結果、請求項５の構成では、請求項２〜４の構成によるいずれかの作用、効果を奏するとともに、箸入れ部が解放姿勢にあるときの箸又は箸箱の取出し操作の簡単化、迅速化が図れて、より使い勝手の向上する箸携帯型のランチジャーを提供できた。
【００２３】
〔構成〕
請求項６の構成は、請求項２〜５の構成において、収納姿勢にある箸入れ部に対して保護作用可能なガード部材を収容部に設けてあることを特徴とするものである。
【００２４】
〔作用〕
請求項６の構成によれば、箸入れ部が収納姿勢にあるときは、容器部に設けたガード部材による保護作用が生じるから、ランチジャーの持ち運び時における他物との衝突による衝撃や、落としてしまったときの落下衝撃などをガード部材に受け持たせて、直接箸入れ部に作用し難いようにすることが可能になる。
【００２５】
〔効果〕
その結果、請求項６の構成では、請求項２〜５の構成によるいずれかの作用、効果を奏するとともに、他物との接触や落下といった衝撃が直接に箸入れ部に作用し難くでき、ガード部材を容器部に設ける簡単で廉価な手段でありながら、張り出し設置される箸入れ部の損傷を極力防止できる箸携帯型のランチジャーを提供できた。
【００２６】
【発明の実施の形態】
以下、本発明の実施の形態を図面に基づいて説明する。
図１〜図３にランチジャーＡが示されている。このランチジャーＡは、断熱構造を有したジャー本体（収容部の一例）１と、このジャー本体１の上面側を覆う蓋カバー（蓋部の一例）２と、蓋カバー２でジャー本体１の上面側を覆う閉じ状態を維持するロック装置３と、ジャー本体１の側壁１ａに装備される箸入れ部４とから構成されている。なお、以下においては、ジャー本体１と蓋カバー２とを総称して収容体ａと呼ぶものであると定義する。
【００２７】
ジャー本体１には、味噌汁やスープ等を入れるための汁器５と、ご飯やおこわ等を入れるための飯器６とを、汁器５の上に飯器６が重ねられる状態で収容される。おかずやフルーツ等を入れるための菜器７は、ジャー本体１に収容された飯器６の上に載置自在であり、その菜器７を覆う状態でジャー本体１の上面側が蓋カバー２で覆われて閉塞される。ロック装置３は、その蓋カバー２の一端を引っ掛けてジャー本体１に係合自在なフック機構３Ａと、その反対側に配置されたロック機構３Ｂとから構成されており、ロック機構３Ｂは箸入れ部４に兼用構成されている。
【００２８】
ジャー本体１は、外ケース８と内ケース９との間に断熱部１０を設けた二重筒構造により、汁器５と飯器６とを保温しながら収容する断熱構造を有した筒状の容器であり、断熱部１０は略真空として熱の伝播が殆ど生じないようにしてある。外ケース８及び内ケース９は、ステンレスやアルミ合金、或いは合成樹脂等の板材から構成されており、上端部においてのみ両者８，９を連結して一体化してある。ジャー本体１の上端部には、蓋カバー２の横方向への位置ずれを防止するための平面視で略半円状の突起ガイド１６が形成されるとともに、吊下げ用ベルト２０を挿通自在なループ状で一対のベルトフック１１，１１が対向配置状態で一体的に装備されている。ベルトフック１１は、ステンレス、アルミ合金、或いは強化プラスチック等で成る丈夫なものに構成されている。
【００２９】
図１〜図３に示すように、蓋カバー２は、合成樹脂材から成る無底筒箱状のものであり、内側の一端側にはフック機構３Ｂを構成するためのフック１８が装備されており、他端側には突起ガイド１６の内側に位置する係合片２ｂが形成されている。蓋カバー２の下端縁と係合片２ｂとが突起ガイド１６の両サイドに位置することで、蓋カバー２のジャー本体１に対する横ずれを規制してある。蓋カバー２の側面には、凹凸による横溝部が形成されたリング状のグリル体１５が外装固定されている。グリル体１５は、蓋カバー２に一体形成されたものでも良く、また、その下端部が蓋カバー２としての下端部となるようにしても良い。蓋カバー２の上面には、箸入れ部４の上面４ａに続く横に長い隆起部２ａが形成されており、隆起部２ａの上面には、文字等のロゴや絵柄等のデザインが施される。
【００３０】
汁器５は、略半球状の本体５Ａと、その上部の開口部５ａを螺着手段等によって汁漏れが無いように閉塞及び開放が自在な汁蓋５Ｂとから成る一般的なものであり、合成樹脂材等で形成されている。飯器４は、無蓋状の本体６Ａと、その上部の開口部６ａを係合構造によって閉塞及び開放が自在な断熱構造の飯蓋６Ｂとから成る一般的なものであり、合成樹脂材等で形成されている。菜器７は、無蓋状の本体７Ａと、その蓋７Ｂとから成る一般的なものであり、合成樹脂材等で形成されている。
【００３１】
図１〜図５に示すように、箸入れ部４は、一方の側壁が欠如された縦長の合成樹脂製の箱状体に形成されており、その下端部においてジャー本体１に枢支連結されている。すなわち、箸入れ部４の左右側壁４ｂそれぞれの下端に形成された丸孔４ｃと、ジャー本体１の外ケース８から突設された軸体１２とを嵌合させてあり、収容体ａの側面に沿う状態に起立して蓋カバー２を閉じロックする収納姿勢（図１の実線参照）と、収容体ａから遠ざかる方向に揺動移動して、蓋カバー２のジャー本体１からの離脱を許容し、かつ、箸入れ部４に収容された箸ｈの取出しが可能となる解放姿勢（図１の仮想線参照）とに揺動切換自在に構成されている。
【００３２】
図５、図６に示すように、ロック機構３Ａを、箸入れ部４に形成されたロック片１３と、蓋カバー２の側面に形成された被ロック片１４とで構成してある。ロック片１３は、箸入れ部４の内部空間における上端部において、先端に下方突出する突部１３ａを有した状態で正面側壁４ｂから水平方向に突設されており、被ロック片１４は、蓋カバー２の外周壁におけるロック片１３に対応する箇所に、突部１３ａに係合するべく上方に開放する切欠き溝１４ａを有した状態で、蓋カバー２の側壁から側方突出する板状部材に構成されている。なお、このロック機構３Ａは、箸入れ部４を収納姿勢に維持する維持手段ｉの機能もある。
【００３３】
図５、図６に示すように、フック機構３Ｂは、ジャー本体１の上端部における突起ガイド１６の反対側の位置に、箸入れ部側に向かって横に折れ曲がった先端部で成る被係合部１７ａを有した鉤状片１７と、被係合部１７ａに横から嵌合自在な略コ字状の係合部１８ａを先端に有した状態で、蓋カバー２の側壁内面側に固着されたフック１８とで構成されている。
【００３４】
本ランチジャーＡにおける蓋カバー２のジャー本体への装着手順を説明すると、まず、図６（ａ）に示すように、蓋カバー２をスライド移動させてそのフック１８を、ジャー本体１の鉤状片１７に差込ませてから、ジャー本体１の上面側に被せて蓋をし、それから図６（ｂ）に示すように、解放姿勢にある箸入れ部４を揺動移動させて収納姿勢に操作することにより、図６（ｃ）に示すように、ロック機構３Ａがロック状態となって完了する。
【００３５】
つまり、箸入れ部４を収納姿勢にする操作が、蓋カバー２をジャー本体１の蓋となる状態に閉じロックする操作を兼用するようになっており、箸入れ部４を収納姿勢に揺動操作すると、蓋カバー２の閉じロックと箸入れ部４の収納姿勢へのロックとが同時に行われることになる。なお、箸入れ部４の中には、直接に箸ｈを収容させても、箸ｈを収容した箸箱１９を収容しても良く、これらいずれの手段も可能である。
【００３６】
又、図９に示すように、一方のベルトフック１１を、箸入れ部４の背壁４ｄに装備するようにすれば、吊下げ用ベルト２０を持っての吊下げ状態では、吊下げ用ベルト２０に作用する張力により、箸入れ部４を収納姿勢に付勢する（蓋カバー２の閉じロック状態をより確実化させる）作用を生むという好ましい効果を得ることができる。他方のベルトフック１１は、係合アーム３１の直下におけるジャー本体１の側壁１ａに配置されている。
【００３７】
図１３に示すように、ベルトフック１１を側面視で略コ字状に形成して成る鉤状片１７と、蓋カバー２の外側面下部を内側に凹入形成して成るフック１８とでフック機構３Ｂを構成しても良い。この構造では、ベルトフック１１と蓋カバー２とでフック機構３Ｂが兼用構成されるので、図１や図６に示す専用の鉤状片１７やフック１８が不要でコストダウンできる利点がある。
【００３８】
〔別実施形態〕
〈１〉　図７、図８に示すように、箸入れ部４が解放姿勢であるときの箸ｈ又は箸箱１９の箸入れ部４からの取出し易さを改善させた第１別構造のランチジャーＡでも良い。すなわち、軸体１２の下方に位置する補助軸２１をジャー本体１に形成し、この補助軸２１を中心に揺動自在なストッパー板２２を、箸入れ部４の背壁４ｄの下部に形成された膨出壁部４ｇの内側に沿う（収納姿勢において）ように、底壁４ｅに形成された貫通孔４ｆを通して上方に起立配置する。そして、箸入れ部４の一方の側壁４ｂとストッパー板２２とを連動連結するリンク部材２３を介装して位相揺動機構２４（連動手段ｒの一例）を構成してある。
【００３９】
つまり、箸入れ部４が、蓋カバー２を閉じロックする収納姿勢にあるときには、ストッパー板２２が膨出壁部４ｇの内側に沿っており、箸箱１９を支障なく収容している［図８（ａ）参照］。そして、箸入れ部４が揺動操作されて解放姿勢に移動すると、箸入れ部４がリンク部材２３を介してストッパー板２２を引っ張り、同方向にストッパー板２２も揺動移動するが、その補助軸２１が軸体１２の下側に位置してそれらの軸心Ｐ，Ｑが上下にずれていることにより、ストッパー板２２の揺動移動角度αは、箸入れ部４の揺動移動角度βよりも小（α＜β）となる。
【００４０】
その結果、ストッパー板２２に下部が凭れ掛かり支持される箸箱１９は、箸入れ部４の解放姿勢に向けて揺動移動するに従って、次第に箸入れ部４の背壁４ｄから離れるようになって行き、解放姿勢においては、箸箱１９の上端部は箸入れ部４からジャー本体１側に張り出した状態になり［図８（ｂ）参照］、容易に箸箱１９（又は箸ｈ）を掴んで箸入れ部４から取出せるのである。また、箸箱１９（又は箸ｈ）を箸入れ部４に入れ込む操作も当然ながらし易くなる。なお、４１は、箸入れ部４で蓋カバー２を閉じロックするためのロック片である。
【００４１】
図７に仮想線で示すように、箸入れ部４の左右側壁４ｂ，４ｂの上部を欠如させておけば、その欠如された部分に手指を宛がうことで、箸箱１９の取出し及び差し入れ操作が一層し易くなって好都合である。又、上端部が背壁４ｄに取付けられた片持ち支持状の弾性板状部材（バネ板等）２６を設けて、解放姿勢において箸箱１９を確実にストッパー板２２の内側（ジャー本体１側）に差し入れるためのガイドとして機能させる構造も好都合である。弾性板状部材２６は、収納姿勢では背壁４ｄに密着して沿う姿勢に弾性変形するので、問題なく箸箱１９を収納できるとともに、箸箱１９を押圧付勢するので、ランチジャーＡの運搬や移送時におけるガタつきや、それによる騒音の発生を回避させることができる利点がある。
【００４２】
図７に仮想線で示すように、左右側壁４ｂ，４ｂの上部を部分的に欠如させた切欠き部２５を形成しておいて、箸箱１９の取出し及び差し入れ操作を行ない易くする手段も可能である。
【００４３】
また、図１４に示すように、解放姿勢においては箸箱１９をジャー本体１側に寄せる弾性部材２８を箸入れ部４の背壁４ｄに取付けて連動手段ｒを構成しても良い。箸入れ部４を収納姿勢に揺動操作すると、弾性部材２８は背壁４ｄに沿う姿勢に弾性変形し、箸箱１９の箸入れ部４内での収納状態を確保できるように、弾性部材２８の弾性付勢力を設定してある。弾性部材２８は、コイルバネ、板ばね、ゴム片、磁力（反発力利用）等種々のものが可能である。
【００４４】
〈２〉　図９、図１０に示すように、ジャー本体１から分離できるように着脱自在構造とされた箸入れ部４、及びジャー本体１に被せるときの方向性が無いように構成された蓋カバー２を有したランチジャーＡでも良い。すなわち、本実施形態では箸入れ部４と軸体１２とが分離不可（左右側壁４ｂ，４ｂを外方に撓ませての着脱は可能ではあるが、通常の使用状態では外れない構造になっている）に枢支連結されていたのを、左右側壁４ｂ，４ｂに斜め下方に凹入した切欠き２７を形成して、これら切欠き２７に軸体１２が挿脱自在に構成するのである。
【００４５】
つまり、図１０に示すように、箸入れ部４を斜め上方に移動させて両切欠き２７に軸体１２を嵌め込み、箸入れ部４をやや上方に引っ張るようにしてその嵌め込み状態を維持することで、箸入れ部４を揺動移動させることができ、前述した解放姿勢と収納姿勢との切換が自在に行える。収納姿勢では、後述するように、蓋カバー２との係合によって箸入れ部４が下方移動できないように規制されており、切欠き２７の軸体１２からの抜け出しが生ぜず、箸入れ部４を一体的に収容体ａに装備できるようになっている。
【００４６】
蓋カバー２は、その下部に径の一段大きい大径部２９が形成された段付き形状に形成されており、その大径部２９の上面２９ａを用いてロック装置３を構成してある。すなわち、箸入れ部４の左右側壁４ｂ，４ｂに上面２９ａに回り込む突出部３０を形成してあり、箸入れ部４を収納姿勢に揺動移動すれば、左右の突出部３０が上面２９ａを下方に押え付ける状態になり、蓋カバー２を閉じ状態にロックするとともに、箸入れ部４の抜け出しも防止される状態が得られる。つまり、上面２９ａと左右の突出部３０とから箸入れ部４を収納姿勢に維持する維持手段ｉを構成しており、この維持手段ｉはロック装置３も兼用している。
【００４７】
また、平面視における箸入れ部４の１８０度離れた反対側には、上面２９ａに係合自在な突片３２を有した係合アーム３１が、左右向き軸心Ｚ周りで揺動自在にジャー本体１の上端部に枢支連結されている。つまり、係合アーム３１を上方に揺動移動させれば、突片３２が上面２９ａの上に位置してこの上面２９ａを押さえつけて蓋カバー２を閉じ状態にロックすることができる。下方に揺動移動すれば、突片３２が上面２９ａから外れ、蓋カバー２をジャー本体１から自由に外せる状態が得られる。
【００４８】
この第２別構造のランチジャーＡでは、リング状の上面２９ａの全てが突出部３０及び突片３２に対する被係合部として機能できるから、蓋カバー２のジャー本体１に対する角度位置を考慮すること無く、単に被せれば良いという便利なものであるとともに、箸入れ部４はロック装置３の構成部材に兼用されており、合理的、経済的に構成されている。例えば、ロック装置を蓋カバー２の両サイド、または片側に設けたランチジャーでは、蓋カバーを容器部の肩部分のロック部に合わしてから被せるという複合操作が必要で面倒であるが、第２別構造のものではそのような不利が無く、使用感を向上できる点で有利である。
【００４９】
〈３〉　図１１、図１２に示すように、箸入れ部４を上下スライド移動によってジャー本体１の側面に装着できるようにした構造のランチジャーＡも可能である。すなわち、箸入れ部４の横断面形状を、内向きに折り曲げられた先端部３３，３３を有した略Ｃ型チャンネル材状に形成し、それら先端部３３，３３が挿脱自在な縦向きレール部３４をジャー本体１の外側面に形成する。そして、箸入れ部４の下端部に形成された挿入部３５との係合及び離脱が自在な平面視ループ状の受入れ部３６をジャー本体１の外側面下端部に形成するとともに、箸入れ部４の上端部に形成された庇部３７の底面に当接して係合自在な鉤状の隆起部３８を蓋カバー２に形成する。
【００５０】
このような構造により、箸入れ部４を、その左右先端部３３，３３をレール部３４に上端から差し込んで下方にスライド移動させることにより、箸入れ部４下端の挿入部３５がジャー本体１の受入れ部３６に嵌まり込んで係合するとともに、箸入れ部４上端の庇部３７が閉じ状態の蓋カバー２の隆起部３８に上から接して係合することにより、箸入れ部４の収納姿勢へのロックと蓋カバー２の閉じロックとが行われる。つまり、挿入部３５と受入れ部３６とでロック装置３の主要部が構成されている（庇部３７と隆起部３８もロック装置３の構成要素である）。
【００５１】
〈４〉　箸入れ部４は、図８に示すように、ストッパーｓ（箸入れ部４下端部で構成されている）により、ジャー本体１からある程度離れる揺動角度位置にて止まるようになっているが、ストッパーを省略して９０度以上揺動できるようにして、テーブル等のランチジャー載置面に当たって止まるように構成しても良い。このように大きく揺動して開けるようにすれば、箸ｈがより取り出し易いとか、箸入れ部４の内部の掃除がし易い等の利点がある。
【００５２】
〈５〉　図７、図１５に示すように、箸入れ部４を保護すべく、両側面４ｂ，４ｂに近接して配置される一対の縦長状ガード部ｇを、ジャー本体１の外側面に一体的に（又は別体として）設けておけば好都合である。３９（ｇ）はジャー本体１に形成されたガード部材であり、４０（ｇ）は蓋カバー２に形成されたガード部材である。また、箸入れ部４の下端を下から覆う底ガード部材４２（ｇ）をジャー本体１の外側面に設け、落下等による衝撃が底ガード部材４０に掛るようにして、その衝撃が直接箸入れ部４に作用しないように構成しても良い（図１５参照）。
【図面の簡単な説明】
【図１】ランチジャーの正面図である。
【図２】図１に示すランチジャーの平面図である。
【図３】図１に示すランチジャーの側面図である。
【図４】箸入れ部下部の枢支構造を示す一部切欠きの斜視図である。
【図５】ロック装置の構造を示す側面図である。
【図６】蓋カバーのジャー本体への装着手順を示し、（ａ）はフック機構の操作作用図、（ｂ）はロック機構の操作作用図、（ｃ）は装着完了状態である。
【図７】第１別構造の箸入れ部を示し、（ａ）はランチジャーの平面図、（ｂ）はランチジャーの側面図である。
【図８】連動手段の構造を示し、（ａ）は収納姿勢、（ｂ）は解放姿勢の側面図である。
【図９】第２別構造によるロック装置部分の側面図である
【図１０】図９の箸入れ部の下部構造を示す側面図である。
【図１１】第３別構造の箸入れ部を示す側面図である。
【図１２】（ａ）図１１に示す箸入れ部の断面図、（ｂ）は挿入部と受入れ部の平面図である。
【図１３】フック機構を兼ねるベルトフックの側面図である。
【図１４】連動手段の別構造を示す側面図である。
【図１５】ガード部材を示すランチジャー下部の部分側面図である。
【符号の説明】
１　容器部
２　蓋部
３　ロック装置
４　箸入れ部
６　飯器
７　菜器
ａ　収容体
ｉ　維持手段
ｇ　ガード部材
ｒ　連動手段
Ｐ　箸入れ部の支点
【図１】
2004016462.tif 000003
【図２】
2004016462.tif 000004
【図３】
2004016462.tif 000005
【図４】
2004016462.tif 000006
【図５】
2004016462.tif 000007
【図６】
2004016462.tif 000008
【図７】
2004016462.tif 000009
【図８】
2004016462.tif 000010
【図９】
2004016462.tif 000011
【図１０】
2004016462.tif 000012
【図１１】
2004016462.tif 000013
【図１２】
2004016462.tif 000014
【図１３】
2004016462.tif 000015
【図１４】
2004016462.tif 000016
【図１５】
2004016462.tif 000017